(57)【要約】【課題】  足先の汚れ、履物内部、および内部のつま先部の汚れを落としたり除菌したりすることで、足下を容易に清潔にできる、使い捨て足拭きウェットティッシュを提供すること。【解決手段】  足拭きウェットティッシュ１は、足挿入口３を１箇所有した人の足に装着可能な袋状に形成され、水、除菌剤、抗菌剤または芳香剤などの液状の含浸剤が含浸可能な吸水性の基材不織布からなり、足先に装着したまま足先、また履物内部、および内部のつま先部の汚れを落としたり除菌したりする事ができる。【選択図】図１
0003179271.tif 000002
【実用新案登録請求の範囲】
【請求項１】
足の裏、足の指、ないし履物などを清潔に保つために用いるもので、足挿入口を１箇所有しており、人の足に装着可能な袋状に形成され、水、除菌剤、抗菌剤または芳香剤などの液状の含浸剤が含浸可能な吸水性の基材不織布からなり、足先に装着したまま、足ないし履物内部の汚れを落としたり、除菌したりすることができることを特徴とする、使い捨て足拭きウェットティッシュ。
【考案の詳細な説明】
【技術分野】
【０００１】    本考案は、足の裏、足の指の間などの汗や汚れを落としたり、除菌するとともに、スリッパや靴などの履物内部の汚れを落としたり除菌したりするための、使い捨て足拭きウェットティッシュ。
【背景技術】
【０００２】    従来、汗で足先や履物内部が汚れたり、サンダルなど足先が出ているような履物で砂などの外因的な理由で足が汚れたりした場合、足は風呂場、洗面所等や濡れタオルで洗浄したりしていた。また丸洗いできない革製品などの履物は除菌や消臭のできるスプレーなどを使用したり、手で履物を持ち、内側をウェットティッシュで拭ったりして除菌し、雑菌による臭いの防止をしていた。【０００３】    さらに、一回一回履物を除菌することができない病院、旅館などの施設で不特定多数が素足で同じ履物を共有する場合、水虫菌などの感染症が危惧される。【０００４】    しかしながら、水虫菌などの感染症を防ぐ方法は、履物を他人に履かれないように目印を付ける、あるいは履物を持参しなければならない。【０００５】    したがって、容易に足先、または履物内部の汚れを落としたり、除菌したりするために好適な構造を有するウェットティッシュが望まれるが、これらの問題を解決する手段はない。【０００６】    特許文献１から３は、袋状のウェットティッシュを手や指に装着し、対象物の汚れを落とすものが開示されている。また、特許文献４では、袋状のペット用足拭きウェットティッシュが開示されている。
【先行技術文献】
【特許文献】
【特許文献１】特開２００３−２９９５９３号広報
【特許文献２】特開２００４−３３６６４号広報
【特許文献３】特開平１１−２９７号広報
【特許文献４】実用新案第３１１４６７２号広報
【考案の概要】
【考案が解決しようとする課題】
【０００７】  足が汚れた場合、外出先では容易に洗浄することができない。また革製品などの履物はスプレーで除菌や消臭はできるが、内側の汚れを奥まで拭うことは容易にすることができない。【０００８】  特許文献１から４に開示されている袋状のウェットティッシュをそのまま足先にはめ、使用したとしても以下の理由により履物の内側、つま先部分、ないし足先の汚れを拭ったり、除菌したりするには適さない。【０００９】  特許文献１と３に開示されているウェットティッシュは、手にはめて対象物の汚れを拭き取るものだが、履物内部、特につま先部分は、極端に狭くすぼんでいるため、容易にウェットティッシュ、または手の届くものではなく適当ではない。【００１０】  また特許文献２に開示されているウェットティッシュは指にはめて使うものであって足にはめて使う事はできない。その上、履物内部や足先など広範囲を拭き取るのには小さすぎて適さない。【００１１】  さらに特許文献４に開示されているウェットティッシュはペットの足を拭くものであって、形状、用途等、人の足には適さない。
【課題を解決するための手段】
【００１２】  上記課題を解決するために、請求項１に記載の考案は、足の裏、足の指、ないし履物内部などを、清潔に保つために用いるウェットティッシュである。足挿入口を１箇所有しており、人の足に装着可能な袋状に形成され、水、除菌剤、抗菌剤または芳香剤などの液状の含浸剤が含浸可能な吸水性の基材不織布からなり、足先に装着したまま足の汚れ、また履物内部の汚れを落とすことができることを特徴とする、使い捨て足拭きウェットティッシュである事をその要旨とする。
【考案の効果】
【００１３】  以上に記述した様に、基材不織布が人の足に装着可能な袋状に形成されているため、足への装着が簡単にできる。また、基材不織布は吸水性のものであり、液状の含浸剤を含ませる事が可能であり、足先の汚れを拭い落とすのに好適なウェットティッシュとして利用できる。さらに足に装着したまま履物に足を滑り入れることで足先と同時に、ウェットティッシュの外側では履物内部、特に手では届きにくいつま先部分も清潔にする事ができる。そして足に装着して利用するため、手で汚れた履物を持つ必要が無い。従って、履物を容易に、しかも手が汚れることなく履物内部を清潔にたもつ事が出来る。また、持ち歩くことによって外出先でも、臭いや、足の蒸れを解消でき、足下を清潔に保つことが出来る。
【図面の簡単な説明】
【００１４】
【図１】  足拭きウェットティッシュの概略図（実施例１）
【図２】  足拭きウェットティッシュを上から見た図（装着時）
【考案を実施するための形態】
【００１５】  以下、本考案を具体化した実施形態を図面に基づき説明する。
【実施例１】
【００１６】  図１は本考案の１実施例を示した概略構成を示している。図１と図２の１から６は同様である。図１に示される様に、本実施の形態の使い捨て足拭きウェットティッシュ１は、液状の含浸剤が含浸可能な吸水性の基材不織布２からなり、足挿入口３を１箇所に有するとともに、人の足に装着可能な大きさの袋状に形成されている。【００１７】  基材不織布２は、綿、麻、ウール、絹等の天然繊維製の不織布や、ポリエステル、ポリアクリル、ポリウレタン等からなる化学繊維製の不織布、あるいは上記各繊維のうちの２種以上を組み合わせた不織布を挙げることができる。【００１８】  本実施の足拭きウェットティッシュ１の上部６は、成人男女のつま先から足の甲を軽く覆うことが出来る程度（５０ｍｍから１５０ｍｍ）の形態が望ましいが、これに限らないものとする。また、ウェットティッシュ下部５は、足裏の一部から全面を覆うことができる程度（５０ｍｍから１８０ｍｍ）の形態が望ましいが、これに限らないものとする。【００１９】  基材不織布２は多少の圧力がかかっても破れない程度（０．５ｍｍ以上）が望ましいが、これに限らないものとする。また、図２の先端部４は、つま先にあたり破けやすい事が考えられるため、二重構造にする等、他の面より多少の厚みを持たせる方が望ましいが、これに限らないものとする。【００２０】  基材不織布２に含浸される含浸剤としては、例えば水、アルコール、薬効成分、植物由来成分、油脂、除菌剤、抗菌剤、又は芳香剤等が挙げられる。【００２１】  基材不織布２は吸水性の良いものであるため、乾燥した状態で足に装着したまま履物をはき、足の汗取りシートとしても利用できる。【００２２】  基材不織布２には、色や模様をつけてもよい。また凹凸をもたせ、より汚れを拭き取り易くすることもできる。大きさは、大、中、小など、製造段階において需要にあった適切なサイズを提供する事が可能である。
【産業上の利用可能性】
【００２３】  旅館や病院などの施設では、施設利用者自らの意思で足先、および履物の消毒や、汚れを落とすことができる。さらに、素足で利用したり、不特定多数が履物を共有したりする施設はこれにとどまらず、多くの施設での需要が見込まれる。しかも、使い捨てのため、その需要は継続的であり、製造、運送、販売等の大きな基盤になる。
【符号の説明】
【００２４】  １  足拭きウェットティッシュ
２  基材不織布
３  足挿入口
４  先端部
５  ウェットティッシュ底部
６  ウェットティッシュ上部
７  足
【図１】
0003179271.tif 000003
【図２】
0003179271.tif 000004